(57)【要約】【課題】地震の発生時に、その上下・前後の振動を作動源に利用して直ちに物品収容装置や棚板本体を斜め後ろに傾斜にし、それを地震が停止するまで維持し、物品収容装置や棚板本体の飛び出しを防止する飛出防止装置を有する物品収容装置を提供する【解決手段】物品収容装置の下部支持板又は棚板の両側前部に前・後支持ピンの上に載せる前・後ロックブロックを設け、前ロックブロックに傾斜面付きの凹陥部を形成し、後ロックブロックに後支持ピンが出入可能にしたピン収容凹陥部を設け、下部支持板の支持袴の側壁又は棚板の支持側壁に前ロックブロックの直下で対向する位置にストッパーボックスを固定し、ストッパーボックスには、ボックス外に突出して傾斜面付きの凹陥部に出入可能にしたフランジ付き竪型ストッパーを設けると共に、ボックス内の下壁の上面に傾斜面を形成し、この傾斜面に転動可能で且つ竪型ストッパーのフランジ下に出入りして竪型ストッパーの下降阻止・解除を行うストッパー球を収容してなる飛出防止装置を設ける。【選択図】  図３−５
2009268886.tif 000002
【特許請求の範囲】
【請求項１】
両側の側枠体（101、102）の間に棚板（106）を水平にして配置した物品収容装置において、前記側枠体（101、102）の両側の前後に前支持ピン（110）と後支持ピン（111）を突設し、
前記棚板（106）の両側前部において、下面に前支持ピン（110）の上に係合して載置する水平面部（201）を形成し、前部の下面に後記竪型ストッパー（400）の上部を上下出入可能にした前・後動ロック用の凹陥部（203）を形成した前ロックブロック(200)を設け、
前記棚板(106)の両側後部の下面の各々において、後部の下面に前記後支持ピン(111)の上に係合して載置する水平面部(501)を形成し、前部の下面に前記後支持ピン(111)が出入可能にした前・後進ロック用のピン収容凹陥部(503)を有する後ロックブロック(500)を設け、
前記両側の側枠体(101、102)で支持され、前記前ロックブロック(200)とその直下で対向する位置に固定したストッパーボックス(600)を固定して設け、
前記ストッパーボックス(600)には、上シャフト(401)と下シャフト(402)をボックスの上壁(601)と下壁(602)の挿通部(603、604)からボックス外に部分的に突出させて上下動可能にし、前ロックブロック(200)の凹陥部(203)の水平谷面(204)と上シャフト(401)の上端を磁着離脱可能にし、ボックス内における上下シャフト(401、402)間に下降阻止・解除用のフランジ(403)を固定した竪型ストッパー(400)を設けると共に、ボックス内の下壁(602)の上面を竪型ストッパー(400)の下シャフト(402)の挿通部(604)に向かって下がり勾配させた傾斜面(605)に形成し、この傾斜面(605)に転動可能で且つ竪型ストッパー(400)のフランジ(403)下に出入りして竪型ストッパー(400)の下降阻止・解除を行うストッパー球(700)を収容し、
前ロックブロック(200)の後部の水平面部(201)を前支持ピン(110)に載せ、後ロックブロック(500)の前部の水平面部501を後支持ピン(111に載せて、竪型ストッパー(400)の上シャフト(401)の上端を凹陥部(203)の水平谷面(204)に磁着させ、フランジ(403)の上面(403a)と上壁(601)の下面(601a)間に微小の間隔ｃを形成させ、且つフランジ(403)の下面(403b)とその直下の傾斜面(605)との間にストッパー球(700)を接触位置させて竪型ストッパー(400)の下降を一旦阻止していることを特徴とする飛出防止装置を有する物品収容装置。
【請求項２】
下部支持板装置自体の底板又は別体の載せ板の下方に、載置用枠袴(1000)を設けた物品収容装置において、載置用枠袴(1000)の両側の側枠体(101A、102A)の両側前後に前支持ピン(110A)と後支持ピン(111A)を突設し、
前記下部支持板(106A)の両側前部の下面の各々において、後部の下面に前支持ピン(110A)の上に係合して載置する水平面部(201)を形成し、前部の下面に後記竪型ストッパー(400)上部を上下出入可能にした前・後動ロック用の凹陥部(203)を形成した前ロックブロック(200)を設け、
前記下部支持板(106A)の両側後部の下面の各々において、後部の下面に前記後支持ピン(111A)の上に係合して載置する水平面部(501)を形成し、前部の下面に前記後支持ピン(111A)が出入可能にした前・後進ロック用のピン収容凹陥部(503)を有する後ロックブロック(500)を設け、
前記両側の側枠体(101A、102A)で支持され、前記前ロックブロック(200)とその直下で対向する位置にストッパーボックス(600)を固定し、
前記ストッパーボックス(600)には、上シャフト(401)と下シャフト(402)をボックスの上壁(601)と下壁(602)の挿通部(603、604)からボックス外に部分的に突出させて上下動可能にし、前ロックブロック(200)の凹陥部(203)の水平谷面(204)に上シャフト(401)の上端を磁着離脱可能にし、ボックス内における上下シャフト(401、402)間に下降阻止・解除用のフランジ(403)を固定した竪型ストッパー(400)を設けると共に、ボックス内の下壁(602)の上面を竪型ストッパー(400)の下シャフト(402)の挿通部(604)に向かって下がり勾配させた傾斜面(605)に形成し、この傾斜面(605)に転動可能で且つ竪型ストッパー(400)のフランジ(403)下に出入りして竪型ストッパー(400)の下降阻止・解除を行うストッパー球(700)を収容し、
前ロックブロック(200)の後部の水平面部(201)を前支持ピン(110)に載せ、後ロックブロック(500)の前部の水平面部501を後支持ピン(111に載せて、竪型ストッパー(400)の上シャフト(401)の上端を凹陥部(203)の水平谷面(204)に磁着させ、フランジ(403)の上面(403a)と上壁(601)の下面(601a)間に微小の間隔ｃを形成させ、且つフランジ(403)の下面(403b)とその直下の傾斜面(605)との間にストッパー球(700)を接触位置させて竪型ストッパー(400)の下降を一旦阻止していることを特徴とする飛出防止装置を有する物品収容装置。
【発明の詳細な説明】
【技術分野】
【０００１】
本発明は、地震等により、本棚、道具棚、箪笥等の家具、事務什器など各種の物品収容装置が前後動して、それ自体が前方に飛び出して倒れることを防止し、或いは物品収容装置内に単数又は複数枚を段設した棚板とそれに載置した物品が、棚板と共に或いは棚板から前方に飛出すことを防止する飛出防止装置を有する物品収容装置に関するものである。 
【背景技術】
【０００２】
従来、前記物品収容装置の殆どに、地震等の振動を利用して物品収容装置自体が倒れる
ことを防止し、或いは物品収容装置の内部に設けた棚板とそれに載置した物品が前方に飛出すことを防止する装置を設けた例は無い。
【０００３】
一般に用いられている前記物品収容装置の開閉扉等の開放防止機構は、本願発明者が特許権取得した特許文献１で紹介の閉止装置があるものの、中の棚板については、飛出し装置が無く、棚板本体及びそれに載置した物品が棚板収容本体から飛び出す危険性がある。この棚板の飛び出しで開閉扉を損傷させたり、棚板に載せた物品収納物を棚外に落下させ破損させてしまう。
【特許文献１】特許第３４８２４３７号公報
【発明の開示】
【発明が解決しようとする課題】
【０００４】
本発明はこのような実情に対処するため、地震が発生したらその上下・前後の振動を作動源に利用して直ちに物品収容装置自体を又は内部の棚板本体を斜め後ろに傾斜にして、その状態を微小振動や再び大揺れがあっても地震が完全に停止するまで維持し、物品収容装置自体の倒壊を防止し、棚板本体の飛び出しを防止すると共に棚板に載せた物品を棚外に落下させることを確実に防止する物品収容装置を提供するものである。
【課題を解決するための手段】
【０００５】
本発明の特徴とするところは次の1の通りであり、図１〜図３−５に示す実施例１及び図５、図６に示す実施例２の符号を併記する。
1、両側の側枠体101、102の間に棚板106を水平にして配置した物品収容装置において、前記側枠体101、102の両側の前後に前支持ピン110と後支持ピン111を突設し、
前記棚板106の両側前部において、下面に前支持ピン110の上に係合して載置する水平面部201を形成し、前部の下面に後記竪型ストッパー400の上部を上下出入可能にした前・後動ロック用の凹陥部203を形成した前ロックブロック200を設け、
前記棚板106の両側後部の下面の各々において、後部の下面に前記後支持ピン111の上に係合して載置する水平面部501を形成し、前部の下面に前記後支持ピン111が出入可能にした前・後進ロック用のピン収容凹陥部503を有する後ロックブロック500を設け、
前記両側の側枠体101、102で支持され、前記前ロックブロック200とその直下で対向する位置に固定したストッパーボックス600を固定して設け、
前記ストッパーボックス600には、上シャフト401と下シャフト402をボックスの上壁601と下壁602の挿通部603、604からボックス外に部分的に突出させて上下動可能にし、前ロックブロック200の凹陥部203の水平谷面204に上シャフト401の上端を磁着離脱可能にし、ボックス内における上下シャフト401、402間に下降阻止・解除用のフランジ403を固定した竪型ストッパー400を設けると共に、ボックス内の下壁602の上面を竪型ストッパー400の下シャフト402の挿通部604に向かって下がり勾配させた傾斜面605に形成し、この傾斜面605に転動可能で且つ竪型ストッパー400のフランジ403下に出入りして竪型ストッパー400の下降阻止・解除を行うストッパー球700を収容し、
前ロックブロック200の後部の水平面部201を前支持ピン110に載せ、後ロックブロック500の前部の水平面部501を後支持ピン111に載せて、竪型ストッパー400の上シャフト401の上端を凹陥部203の水平谷面204に磁着させ、フランジ403の上面403aと上壁601の下面601a間に微小の間隔ｃを形成させ、且つフランジ403の下面403bとその直下の傾斜面605との間にストッパー球700を接触位置させて竪型ストッパー400の下降を一旦阻止していることを特徴とする飛出防止装置を有する物品収容装置。
2、下部支持板装置自体の底板又は別体の載せ板の下方に、載置用枠袴1000を設けた物品収容装置において、載置用枠袴1000の両側の側枠体101A、
102Aの両側前後に前支持ピン110Aと後支持ピン111Aを突設し、
前記下部支持板106Aの両側前部の下面の各々において、後部の下面に前支持ピン110Aの上に係合して載置する水平面部201を形成し、前部の下面に後記竪型ストッパー400の上部を上下出入可能にした前・後動ロック用の凹陥部203を形成した前ロックブロック200を設け、
前記下部支持板106Aの両側後部の下面の各々において、後部の下面に前記後支持ピン111Aの上に係合して載置する水平面部501を形成し、前部の下面に前記後支持ピン111Aが出入可能にした前・後進ロック用のピン収容凹陥部503を有する後ロックブロック500を設け、
前記両側の側枠体101A、102Aで支持され、前記前ロックブロック200とその直下で対向する位置にストッパーボックス600を固定し、
前記ストッパーボックス600には、上シャフト401と下シャフト402をボックスの上壁601と下壁602の挿通部603、604からボックス外に部分的に突出させて上下動可能にし、前ロックブロック200の凹陥部203の水平谷面204と上シャフト401の上端とを磁着とその離脱可能にし、ボックス内における上下シャフト401、402間に下降阻止・解除用のフランジ403を固定した竪型ストッパー400を設けると共に、ボックス内の下壁602の上面を竪型ストッパー400の下シャフト402の挿通部604に向かって下がり勾配させた傾斜面605に形成し、この傾斜面605に転動可能で且つ竪型ストッパー400のフランジ403下に出入りして竪型ストッパー400の下降阻止・解除を行うストッパー球700を収容し、
前ロックブロック200の後部の水平面部201を前支持ピン110に載せ、後ロックブロック500の前部の水平面部501を後支持ピン111に載せて、竪型ストッパー400の上シャフト401の上端を凹陥部203の水平谷面204に磁着させ、フランジ403の上面403aと上壁601の下面601a間に微小の間隔ｃを形成させ、且つフランジ403の下面403bとその直下の傾斜面605との間にストッパー球700を接触位置させ竪型ストッパー400の下降を一旦阻止していることを特徴とする飛出防止装置を有する物品収容装置。
【発明の効果】
【０００６】
本発明の飛出防止装置を有する物品収容装置は、地震発生前は、前述のように、前ロックブロックの後部の水平面部を前支持ピンに載せ、後ロックブロックの前部の水平面部を後支持ピンに載せ、竪型ストッパーの上シャフトの上端を凹陥部の水平谷面の磁石に磁着させて前支持ピンと共に前ロックブロックを介して棚板の支持し、フランジの上面と上壁の下面間に微小の間隔を形成し、且つフランジの下面とその直下の傾斜面との間にストッパー球が接触位置して竪型ストッパーの下降を阻止しているから、地震が発生したらその上下振動と前後振動で作動する物品収容装置の棚板または下部支持板装置自体の底板又は別体の載せ板の上移動と前後移動により、直ちに、前記竪型ストッパーの磁着支持を解除すると共に、ピン収容凹陥部に後支持ピンを収容して、図３−５に示すように棚板を後方下がり勾配の状態に固定し、これをその後の微小振動や再び大揺れがあっても地震が完全に停止するまで維持し、前記棚板または下部支持板と共動する物品収容装置の飛び出しを確実に防止すると共に物品収容装置の倒壊を防止し、或いは物品収容装置内の棚板に載せた物品を棚外に落下させることを防止するものである。
即ち、地震が発生したら、物品収容装置の棚板または下部支持板と共に動く前ロックブロックの前後振動で竪型ストッパーの上端部は、凹陥部の前後の傾斜面203a、203ｂに当接し、その傾斜面に沿って上下動の繰り返しをして、強制的に磁石との接合を切り離す。また前ロックブロックの凹陥部の上下振動で磁石によりストッパーボックスの竪型ストッパーを引き上げてそのフランジによるストッパー球の拘束を解除して自由転動状態にし、更に上振動と前後振動によりフランジがボックス上壁の下面に衝突した時点以降で上記同様に凹陥部の磁石と竪型ストッパーの上シャフトとを離脱させて竪型ストッパーの磁着を解除する。これで竪型ストッパーは自重のみであるのでストッパー球の自由度を高め以降の振動で、フランジ下からストッパー球を転動離脱させ竪型ストッパーを下降させる。このときフランジがボックス下壁の傾斜面上に落下当接して、前ロックブロックの前後動を一旦自由にする。それ以降は、棚板または下部支持板の前移動振動で後ロックブロックの後支持ピンを支持する位置がピン収容凹陥部に到来したところで、後支持ピンがピン収容凹陥部に入り込んで収容され、図３−５に示すように棚板または下部支持板が後方下がり勾配の状態になり棚板または下部支持板の前後動が阻止され固定されるのである。
地震終了後は、棚板または下部支持板の後部を持ち上げてピン収容凹陥部から後支持ピンを下方挿出し、その後、棚板または下部支持板を地震前のスタティック状態の基準位置にまで後方にずらして、後ロックブロックの前部の水平面部を後支持ピン上に載せ、竪型ストッパーを指で押し上げ上シャフトの先端を磁石に磁着させれば、フランジの直下にストッパー球が入り込み竪型ストッパーの下降を阻止して、前ロックブロックを介しての棚板または下部支持板の前部の支持を前支持ピンと竪型ストッパーで行う状態になり、地震前のスタティック状態に復旧するのである。
【発明を実施するための最良の形態】
【０００７】
本発明の飛出防止装置を有する物品収容装置において、物品収容装置の下部支持板とは物品収容装置自体の底板又は物品収容装置自体を載せる別体の載せ板を言う。
本発明において、ストッパーボックスの竪型ストッパーの上端と前ロックブロックの凹陥部との磁着手段は、例えば上シャフトの少なくとも先端を磁性体とし前ロックブロックの凹陥部に磁石(永久磁石)を設けて磁着可能にする。または上シャフトの先端に磁石を設け前ロックブロックの凹陥部を磁性体にしても良い。或いは上シャフトの先端と前ロックブロックの凹陥部の各々に磁石を設けて、その対面磁極面を吸着関係にし、且つ離脱後の再吸着を自動的になされる磁力関係にしても良い。
またストッパー球は地震の振動に敏感な、大きさ、重さ、固有の振動周波特性等を持つ真球の金属球が好ましい。
更に、前ロックブロックと後ロックブロックにおいて、当該支持ピンを載せる各水平面部はその前端部及び又は後端部に支持ピンの過剰前後変位を防止する垂直状のストッパー突起を設けることが安全上好ましい。
本発明のその他の技術条件については以下に示す実施例で詳細に紹介する。
【実施例１】
【０００８】
本例は、本発明の前記特徴1の飛出防止装置を有する物品収容装置100の実施例である。
図１は物品収容装置100の正面図であり、図２は図１の矢視Ａ―Ａからの側断面説明図である。図３−１〜図３−４は、地震が発生した際の棚板の飛出防止装置の経時的作動状態順を示す説明図である。
図１において、物品収容装置100は、棚板収容本体である両側の側枠体101、102と、上枠体103及び下枠体104と、背後枠板105と、側枠体101、102間に水平にして配置した棚板106とからなる。側枠体101と102には棚板106の下面間接支持用の前支持ピン110と後支持ピン111を突設してある。
図２において、前記棚板106は、その両側前部の下面の各々に前ロックブロック200と両側後部の下面の各々に後ロックブロック500を設ける。
前ロックブロック200は、後部の下面に前支持ピン110の上に係合して載置する水平面部201を形成し、水平面部201の後端部には垂直状のストッパー突起202を設け、前部の下面に後記竪型ストッパー400の上シャフト401の先端部を上下出入可能にした棚前・後進ロック用の凹陥部203を形成してある。
この凹陥部203は、図示の如く前後に上シャフト401の磁着の離脱誘導用の傾斜面203a,203bを有し、その間の水平谷面204に上シャフト401の磁着用の磁石205を配置してある。
後ロックブロック500は、後部の下面に前記後支持ピン111の上に係合して載置する水平面部501を形成し、水平面部501の前・後端部には垂直状のストッパー突起502a、502bを設け前部の下面に前記後支持ピン111が出入可能にした棚前・後進ロック用のピン収容凹陥部503を形成してある。ピン収容凹陥部503の504は緩衝用のゴムブロックである。ピン収容凹陥部503は前方に傾斜したフック状にし、後支持ピンを一旦収容すると外れ難くしてある。
前ロックブロック200の直下で対向する位置に、前記両側の側枠体101、102で支持し固定した直方体のストッパーボックス600を設ける。
前記ストッパーボックス600には、前部に竪型ストッパー400を設けてある。
竪型ストッパー400は、上シャフト401と下シャフト402とフランジ403からなり、上シャフト401と下シャフト402をボックス600の上壁601・下壁602の挿通部603、604からボックス600外に部分的に突出させて上下動可能にし、前ロックブロック200の凹陥部203の水平谷面204の磁石205に上シャフト401の上端を離脱可能にし、フランジ403はボックス600内の上下シャフト401、402間に位置固定し、竪型ストッパー400の下降阻止・解除用としてて設けてある。
尚、上記竪型ストッパー400の上シャフト401の先端部を磁石にし前ロックブロック200の磁石205を単なる磁性体にしても後述する機能的は満足される。
又、ストッパーボックス600には、下壁602の内面底面を竪型ストッパー400の下シャフト402の挿通部604に向かって下がり勾配させた傾斜面605を形成し、この傾斜面605に転動可能で且つ竪型ストッパー400のフランジ403下に出入りして竪型ストッパー400の下降阻止・解除を行うストッパー球700を収容してある。トッパー球700は直径をストッパーボックス600の側壁の内面間幅傾斜面605の幅より若干小さくして傾斜面605での転動を容易にしてある。
図２に示す状態は、地震が起きる前のスタティック状態を示すもので、前ロックブロック200の後部の水平面部201を前支持ピン110に載せ、後ロックブロック500の前部の水平面部501を後支持ピン111に載せた際、竪型ストッパー400の上シャフト401の上端が凹陥部203の水平谷面204の磁石205に磁着し、フランジ403の上面403aと上壁601の下面601a間に微小のストッパー球700の押さえを解除するための間隔cを形成し、且つフランジ403の下面403ｂとその直下の傾斜面605との間にストッパー球700が接触位置して竪型ストッパー400の下降を阻止している状態を示すものである。
図３−１は、図２に示す状態から、地震が発生した際に、その上下振動する棚板106と共動する前ロックブロック200の凹陥部203の磁石205で、ストッパーボックス600の竪型ストッパー400を引き上げてそのフランジ403によるストッパー球700の拘束を解除して自由転動状態にした状態を示す。図４−１はその要部である前ロックブロックとストッパーボックスの拡大図である。
図３−２は、図３−１に示す状態から、更にフランジ403がボックス上壁601の下面601aに衝突した時点以降で凹陥部203の磁石205と竪型ストッパー400の上シャフト401とを離脱させ竪型ストッパー400の磁着を解除した瞬間の状態を示すものである。
図３−３は、図３−２に示す状態から、竪型ストッパー400が自重で下降して、ストッパー球700が自由転動状態なので直ぐフランジ403がボックス600下壁602の傾斜面605上に落下して、棚板106と共に動く前ロックブロック200の前後動を一旦自由にした状態を示すものである。実際には棚板等は図３−５に示すように傾斜しているが省略している。
図３−４は、図３−３に示す状態から、前ロックブロック200の前移動で後ロックブロック500の水平面部501が後支持ピン111を支持する位置がピン収容凹陥部503に到来し後支持ピン11がピン収容凹陥部503に入り込む寸前の状態を示すものである。本図も実際には棚板等は図３−５に示すように傾斜しているが省略している。
図３−５は、図３−４に示す状態から、棚板106の後部が下降してピン収容凹陥部503内に後支持ピン111が完全に収容され棚板106が後方下がり勾配の状態になり棚板106の前後動が阻止され固定された状態を示すものである。図４−２は、その状態の後ロックブロックの拡大図である。
地震終了後は、棚板106の後部を持ち上げてピン収容凹陥部503から後支持ピン111を下方挿出し、その後、地震前のスタティック状態の基準位置にまで前方にずらして、後ロックブロック500の前部の水平面部501を後支持ピン111に載せ、竪型ストッパー400を手で押し上げて上シャフト401の先端を磁石205に磁着させるとフランジ403の直下にストッパー球700が転動して入り込み、前記した地震前のスタティック状態に復帰するのである。
【実施例２】
【０００９】
本例は、本発明の前記特徴2の飛出防止装置を有する物品収容装置100の実施例である。図５は、実施例２の組み立て状態を示す斜視説明図である。
図６は、実施例２を示す図２と同様の側断面説明図であり、(1)は地震前の正常な状態を示し、(2)は地震により図５に示す状態から下部支持板106Aの後部が下降してピン収容凹陥部503内に後支持ピン111Aが完全に収容され下部支持板106Aが後方下がり勾配の状態になり下部支持板106Aの前後動が阻止され安定固定された状態を示すものである。
図７は、図６に示す要部の拡大説明図であり、(1)は図６(1)の前部拡大、(2)は図６(1)の後部拡大、(3)は図６(2)の前部拡大、(4)は図６(2)の後部拡大を各々示す。
【００１０】
図５〜図７に示す飛出防止装置において、物品収容装置100の下部支持板106A（装置自体の底板又は物品収容装置100を載置支持した別体の載せ板）の下方に下部支持板106Aを載置支持する矩形状枠に形成した載置用枠袴1000を設け、載置用枠袴1000の両側の側枠体101A、102Aにその内側又は外側の各前後に前支持ピン110Aと後支持ピン111Aを片支持状態で横水平に突設する。
前記下部支持板106Aの両側前部の下面の各々に前ロックブロック200を設ける。前ロックブロック200は、後部の下面に前支持ピン110Aの上に係合して載置する水平面部201を形成し、前部の下面に竪型ストッパー400の上部の上シャフト401を上下出入可能にした前・後動ロック用の凹陥部203を形成し、この凹陥部203の水平谷面204に磁石205を配置してなる。
前記下部支持板106Aの両側後部の下面の各々に後ロックブロック500を設ける。後ロックブロック500は、後部の下面に前記後支持ピン111Aの上に係合して載置する水平面部501を形成し、前部の下面に前記後支持ピン111Aが出入可能にした前・後進ロック用のピン収容凹陥部503を有する。ピン収容凹陥部503の開口方向は、実施例１とは逆方向にしてある。
ストッパーボックス600は、前記両側の側枠体101A、102Aで支持され、前記前ロックブロック200とその直下で対向する位置に固定してある。
前記ストッパーボックス600には、上端部に磁石410を装着した上シャフト401と下シャフト402をボックスの上壁601と下壁602の挿通部603、604からボックス外に部分的に突出させて上下動可能にし、前ロックブロック200の凹陥部203の水平谷面204の磁石205に上シャフト401の上端の磁石410が磁着・離脱可能にし、ボックス内における上下シャフト401、402間に下降阻止・解除用のフランジ403を固定した竪型ストッパー400を設けると共に、ボックス内の下壁602の上面を竪型ストッパー400の下シャフト402の挿通部604に向かって下がり勾配させた傾斜面605に形成し、この傾斜面605に転動可能で且つ竪型ストッパー400のフランジ403下に出入りして竪型ストッパー400の下降阻止・解除を行うストッパー球700を収容する。
そこで本例の飛出防止装置は、地震の無い通常状態を図６の(1)に示すもので、前例と同様に、前ロックブロック200の後部の水平面部201を前支持ピン110Aに載せ、後ロックブロック500の前部の水平面部501を後支持ピン111Aに載せて、竪型ストッパー400の上シャフト401の上端の磁石410の磁極Nを、陥部203の水平谷面204の磁石205の磁極Sに自動的に吸引磁着させ、フランジ403の上面403aと上壁601の下面601a間に微小の間隔cを形成し、且つフランジ403の下面403bとその直下の傾斜面605との間にストッパー球700を接触位置させて竪型ストッパー400の下降を阻止しておくのである。
そして地震が発生すると、竪型ストッパー400の上シャフト401の前後動で上端の磁石410はその磁極N面を、凹陥部203の水平谷面204の磁石205の磁極S面から離脱し凹陥部203の前後傾斜面に沿って移動し、前例と同様に、図６の(2)に示す状態になる。つまり下部支持板106Aが地震で前後に揺れている最中に、ピン収容凹陥部503内に後支持ピン111Aが完全に収容されると、下部支持板106Aの後部が下降し後方下がり勾配の状態になり、下部支持板106Aの前後動が阻止されて固定され物品収容装置100の倒壊を確実に阻止するのである。
地震終了後は、下部支持板106Aの後部を持ち上げてピン収容凹陥部503から後支持ピン111を下方挿出し、その後、地震前のスタティック状態の基準位置にまで前方にずらして、後ロックブロック500の前部の水平面部501を後支持ピン111に載せて、竪型ストッパー400を、先端の磁石410と凹陥部203の磁石205との吸引力で自動的に磁着させとフランジ403の直下にストッパー球700を転動させ、竪型ストッパー400の下降をロックして、前記した地震前のスタティック状態に復帰させるのである。
【産業上の利用可能性】
【００１１】
以上の説明で明らかなように本発明の飛出防止装置を有する物品収容装置は、地震発生前は、前述のように、前ロックブロックの後部の水平面部を前支持ピンに載せ、後ロックブロックの前部の水平面部を後支持ピンに載せ、竪型ストッパーの上シャフトの上端を凹陥部の水平谷面の磁石に磁着させて前支持ピンと共に前ロックブロックを介して棚板の支持し、フランジの上面と上壁の下面間に微小の間隔を形成し、且つフランジの下面とその直下の傾斜面との間にストッパー球が接触位置して竪型ストッパーの下降を阻止しているから、地震が発生したらその上下振動と前後振動で作動する物品収容装置の棚板または下部支持板装置自体の底板又は別体の載せ板の上移動と前後移動により、直ちに、前記竪型ストッパーの磁着支持を解除すると共に、ピン収容凹陥部に後支持ピンを収容して、図３−５に示すように棚板を後方下がり勾配の状態に固定し、これをその後の微小振動や再び大揺れがあっても地震が完全に停止するまで維持し、前記棚板または下部支持板と共動する物品収容装置の飛び出しを確実に防止すると共に物品収容装置の倒壊を防止し、或いは物品収容装置内の棚板に載せた物品を棚外に落下させることを防止するものである。
地震沈静後は、棚板または下部支持板の後部を持ち上げ竪型ストッパーをセットするだけで簡単に元の状態に復帰させることができるものである等の優れた作用効果を呈するものであり、各種製造工場、整備工場、オフィス等に設置され各種器具や道具、事務機器・資材などを収容する物品収容装置に有利に適用できるものである。
【図面の簡単な説明】
【００１２】
【図１】本発明の物品収容装置の実施例１を示す正面図である。
【図２】図１の矢視Ａ―Ａからの側断面説明図である。
【図３−１】図３−１〜図３−４は、地震が発生した際の物品収容装置における飛出防止装置の経時的作動状態順を示す説明図であり、図３−１は、図２に示す状態から、地震が発生した際に、その上下振動する棚板106と共動する前ロックブロック200の凹陥部203の磁石205で、ストッパーボックス600の竪型ストッパー400を引き上げてそのフランジ403によるストッパー球700の拘束を解除して自由転動状態にした状態を示す。
【図３−２】図３−１に示す状態から、更にフランジ403がボックス上壁401の下面401aに衝突した時点以降で凹陥部203の傾斜面により磁石205と竪型ストッパー400の上シャフト401とを離脱させ竪型ストッパー400の磁着を解除した瞬間の状態を示すものである。
【図３−３】図３−２に示す状態から、竪型ストッパー400が自重で下降して、ストッパー球700が自由転動状態なので直ぐフランジ403がボックス600下壁602の傾斜面605上に落下して、棚板106と共に動く前ロックブロック200の前後動を一旦自由にした状態を示すものである。実際には棚板等は図３−５に示すように傾斜しているが省略している。
【図３−４】図３−３に示す状態から、前ロックブロック200の前移動で後ロックブロック500の水平面部501が後支持ピン111を支持する位置がピン収容凹陥部503に到来し後支持ピン11がピン収容凹陥部503に入り込む寸前の状態を示すものである。本図の実際には棚板等は図３−５に示すように傾斜しているが省略している。
【図３−５】図３−４に示す状態から、棚板106の後部が下降してピン収容凹陥部503内に後支持ピン111が完全に収容され棚板106が後方下がり勾配の状態になり棚板106の前後動が阻止され安定固定された状態を示すものである。
【図４−１】図３−１に示す前ロックブロック200とストッパーボックス600を拡大して示す図面である。
【図４−２】図３−５に示す後ロックブロック500を拡大して示す図面である。
【図５】本発明の物品収容装置の実施例２の組み立て状態を示す斜視説明図である。
【図６】本発明の物品収容装置の実施例２を示す図２と同様の側断面説明図であり、1は正常な状態を示し、2は地震により図５に示す状態から下部支持板106Aの後部が下降してピン収容凹陥部503内に後支持ピン111Aが完全に収容され下部支持板106Aが後方下がり勾配の状態になり下部支持板106Aの前後動が阻止され安定固定された状態を示すものである。
【図７】図６に示す要部の拡大説明図であり、1は図６1の前部拡大、2は図６1の後部拡大、3は図６2の前部拡大、4は図６２の後部拡大を各々示す。
【符号の説明】
【００１３】
100      物品収容装置
101、102  側枠体
103      上枠体
104      下枠体
105      背後枠板
106      棚板
110      支持ピン
111      後支持ピン  
200      前ロックブロック
400      竪型ストッパー
403      フランジ
500      後ロックブロック
600      ストッパーボックス
700      ストッパー球
106A     下部支持板
1000     物品収容装置の載置用枠袴
【図１】
2009268886.tif 000003
【図２】
2009268886.tif 000004
【図３−１】
2009268886.tif 000005
【図３−２】
2009268886.tif 000006
【図３−３】
2009268886.tif 000007
【図３−４】
2009268886.tif 000008
【図３−５】
2009268886.tif 000009
【図４−１】
2009268886.tif 000010
【図４−２】
2009268886.tif 000011
【図５】
2009268886.tif 000012
【図６】
2009268886.tif 000013
【図７】
2009268886.tif 000014